【事件の表示】
　特願２０１０−５１４２０１「デジタルコンテンツを提示する方法」拒絶査定不服審判事件〔平成２０年１２月３１日国際公開、ＷＯ２００９／００１２７１、平成２２年　９月２４日国内公表、特表２０１０−５３１５１０〕について、次のとおり審決する。
【結　論】
　本件審判の請求は、成り立たない。
【理　由】
第１　手続の経緯
　本願は、２００８年（平成２０年）６月２３日（パリ条約による優先権主張外国庁受理２００７年（平成１９年）６月２８日、ヨーロッパ特許庁）を国際出願日とする出願であって、平成２４年１０月３１日付けの拒絶の理由の通知に対し、平成２５年２月５日付けで手続補正がなされ、平成２５年６月２６日付けの最後の拒絶の理由の通知に対し、平成２５年１０月１日付けで手続補正がなされたが、平成２６年３月２８日に平成２５年１０月１日付けの手続補正は決定をもって却下され、同日付けで拒絶査定がなされたものである。これを不服として平成２６年７月２９日に本件審判請求がなされ、同時に手続補正がなされた。
　
第２　平成２６年７月２９日付けの手続補正についての補正却下の決定
［補正却下の決定の結論］
　　平成２６年７月２９日付けの手続補正を却下する。
［理由］
１．手続補正の内容
　平成２６年７月２９日付けの手続補正（以下、「本件補正」という）は、特許請求の範囲を対象とするもので、補正前の請求項１を補正後の請求項１とする補正を含んでおり、それらの記載は次のとおりである（下線は補正により変更された部分を示す）。
　
[補正前の請求項１]
　デジタルコンテンツを提示する方法であって、
　一連のコンテンツアイテムを表すデジタルデータを取得するステップと、
　第１の提示モードにおいて前記一連のコンテンツアイテムを提示するステップであって、前記第１の提示モードでは、コンテンツアイテムを表すデータの第１の選択を行うステップ、及び、選択されたデータを、知覚可能な形式でデータをレンダリングするシステムに供給するステップが、各コンテンツアイテムに対して連続して自動的に実行される、ステップと、
　前記レンダリングするシステムにおいてユーザによる動作を検出するステップと、
　前記動作の検出に応答して、前記第１の提示モードから第２の提示モードへの遷移をもたらすステップであって、前記第２の提示モードでは、前記レンダリングするシステムが、前記動作が検出されたときに前記第１の提示モードにおいて提示されているコンテンツアイテムを表すデータのみの、前記第１の選択とは異なる第２の選択をレンダリングする、ステップとを含む、方法。
　
[補正後の請求項１]
　
コンピュータを用いて
　
前記コンピュータにより、
　
前記コンピュータにより、
前記コンピュータが、一の
の概観
を
として選択する
と
とを
す
　
前記コンピュータにより、
データ入力動作以外の
　
前記コンピュータにより、
の掘り下げた体験
を
として
　
２．補正の適否
（１）特許請求の範囲の減縮
　この補正は、補正前の請求項１に記載した発明を特定するために必要な事項を限定するものであって、その補正前後の請求項１に記載の発明の産業上の利用分野及び解決しようとする課題が同一であるものであるから、本件補正は、特許法第１７条の２第５項第２号に規定された特許請求の範囲の減縮を目的とするものである。
　そこで、補正後の請求項１に係る発明（以下、「本願補正発明」という）が特許法第１７条の２第６項において準用する同法第１２６条第７項に規定された特許出願の際独立して特許を受けられるものであるか否かについて以下検討する。
　
（２）独立特許要件
ア．本願補正発明
　本願補正発明は、上記[補正後の請求項１]の記載により特定される次のとおりのものである。
　
[本願補正発明]
　コンピュータを用いてデジタルコンテンツを提示する方法であって、
　前記コンピュータにより、一連のコンテンツアイテムを表すデジタルデータを取得するステップと、
　前記コンピュータにより、第１の提示モードにおいて前記一連のコンテンツアイテムを提示するステップであって、前記第１の提示モードでは、前記コンピュータが、一のコンテンツアイテムの概観を表すデータを第１の選択として選択するステップと、選択されたデータを、知覚可能な形式でデータをレンダリングするシステムに供給するステップとを、各コンテンツアイテムに対して連続して自動的に実行する、ステップと、
　前記コンピュータにより、前記レンダリングするシステムにおいてユーザによるデータ入力動作以外の動作を検出するステップと、
　前記コンピュータにより、前記動作の検出に応答して、前記第１の提示モードから第２の提示モードへの遷移をもたらすステップであって、前記第２の提示モードでは、前記レンダリングするシステムが、前記動作が検出されたときに前記第１の提示モードにおいて提示されているコンテンツアイテムの掘り下げた体験を表すデータを第２の選択としてレンダリングする、ステップとを含む、方法。
　
イ．刊行物１の記載事項・刊行物１発明
　原査定の拒絶の理由で引用された本願の優先権主張の日前に頒布された刊行物である特開２００６−２２７４０９号公報（以下、「刊行物１」という）には、図面とともに次の事項が記載されている。
　
「【０００１】
　本発明は、手持ち状態および載置状態の双方で用いられる表示装置に関する。」
　
「【０００７】
　以下、図面を参照して本発明を実施するための最良の形態について説明する。
（第一の実施形態）
　図１は、本発明の第一の実施形態による画像表示装置を説明する三面図である。図１において、画像表示装置は、液晶表示素子２０を有する表示部１１と、操作キー１５およびスタイラス入力部材１６を有する操作部（ベース部）１２とがヒンジ１３によって一体化される。ヒンジ１３は、回動軸Ｏを中心軸として回動自在に構成され、表示部１１および操作部１２間の相対角を任意の角度で支持する。操作部（ベース部）１２の重量は、表示部１１の重量より重いように構成されていることが望ましい。
【０００８】
　画像表示装置の使用形態について説明する。
（ブックモード）
　図１の画像表示装置は、ブックモードにおける使用形態を例示したものである。ブックモードにおける画像表示装置は、たとえば、表示部１１の液晶表示素子２０側の面（以下表示面と呼ぶ）１１ａと、操作部１２の操作キー１５やスタイラス入力部材１６側の面（以下操作面と呼ぶ）１２ａとが使用者（とくに目）の方向を向くように、ヒンジ１３が折り畳み状態（開閉角０とする）から約１８０度開かれた状態で、使用者によって手持ちされる。
【０００９】
　使用者は、表示部１１の液晶表示素子２０に表示される画像や当該画像に関する情報を見ながら、操作キー１５を押下操作したり、スタイラスペン１７を用いてスタイラス入力部材１６へ書き込み入力したりする。液晶表示素子２０に表示させる画像は、操作キー１５やスタイラス入力部材１６からの操作信号によって画像表示装置に指示される。
【００１０】
　ブックモードでは、液晶表示素子２０が縦長画面として観察される。画像表示装置は、縦長画面としての液晶表示素子２０に通常の横長画像を再生表示させる。この場合、再生表示画像の長辺（水平方向）を液晶表示素子２０の短辺に対応させて表示し、再生表示画像の短辺方向（垂直方向）の余白領域（図１において符号２１）に、当該再生画像データに付加されている情報（Exif情報）をテキスト表示する。図１の例では、Exif情報として、画像データファイル名「DSCNxxx1.JPG」、撮影日「2004/8/5」、撮影時刻「10:45」、撮影条件としてのシャッタースピード、絞り値「1/250 F2.8」が、再生画像の下部領域２１に表示されている。Exif情報として表示する項目は、操作キー１５からの操作によって適宜変更可能に構成されている。
【００１１】
　スタイラスペン１７によってスタイラス入力部材１６から書き込み入力された情報「04年 ヨーロッパ旅行」は、Exif情報とともに画像データファイル内に記録可能に構成されている。したがって、画像データファイル内に付加記録された書き込み入力情報は、次回の再生表示時に他のExif情報とともに自動的に領域２１内に表示させることができる。
【００１２】
（フレームモード１）
　図２は、画像表示装置のフレームモード１における使用形態を例示する図である。ヒンジ１３が折り畳み状態から約２９０度開かれ、操作部１２の操作面１２ａを下側にして、机上などの平面に載置されている。表示部１１と操作部１２との挟角は約７０度である。使用者は、表示部１１の液晶表示素子２０に表示される画像を鑑賞する。
【００１３】
　液晶表示素子２０に表示される画像は、たとえば、後述するメモリカード１８（図４）に記憶されている複数の画像ファイルに対応する画像データによる再生画像であり、これらを順次スライドショー表示したものである。また、複数の再生画像を順次スライドショー表示する代わりに、メモリカード１８に記憶されている所定の画像（たとえば、操作キー１５からの操作信号によってあらかじめ指定されている画像）を再生表示するように構成してもよい。
【００１４】
　画像表示装置は、横長画面としての液晶表示素子２０に通常の横長画像を再生表示させる。この場合、再生表示画像の長辺（水平方向）を液晶表示素子２０の長辺に対応させて表示する。Exif情報のテキスト表示を省略し、再生表示画像の表示サイズをブックモードにおいて液晶表示素子２０に表示される再生表示画像の表示サイズより大きくする。」
　
「【００１６】
　図４は、画像表示装置の構成を説明するブロック図である。図４において、表示部１１側には液晶表示素子２０と、液晶駆動回路２０ｃと、バックライト２０ａと、バックライト駆動回路２０ｂとが含まれる。液晶駆動回路２０ｃは、後述する制御回路３１から出力される表示データに応じて液晶パネル駆動信号を生成し、生成した駆動信号で液晶表示素子２０を駆動する。具体的には、液晶表示素子２０の液晶層（不図示）に対して表示データに応じた電圧を画素ごとに印加する。電圧が印加された液晶層は液晶分子の配列が変わり、当該液晶層の光の透過率が変化する。
【００１７】
　バックライト駆動回路２０ｂは、制御回路３１から出力される点灯指示に応じてバックライト２０ａを指示された輝度で点灯させる。点灯したバックライト２０ａは、液晶表示素子２０を照明する。バックライト２０ａによる照明光が液晶表示素子２０の液晶層を透過して変調されることにより、表示データによる再生像が表示される。
【００１８】
　操作部１２側には、制御回路３１と、加速度センサ１９と、スタイラス入力部材１６と、操作キー１５と、バッテリ１４ａを有する電源１４と、カメラ２５とが含まれ、挿抜可能に構成されるメモリカード１８が装着されている。制御回路３１は、制御プログラムに基づいて、画像表示装置を構成する各部から入力される信号を用いて所定の演算を行うなどして、画像表示装置の各部に対する制御信号を送出することにより、カメラ動作、画像表示動作をそれぞれ制御する。なお、制御プログラムは制御回路３１内の不図示の不揮発性メモリに格納されている。
【００１９】
　時計回路３１ａは制御回路３１に内蔵されており、クロック信号（不図示）を分周して時刻情報を生成する。加速度センサ１９は画像表示装置の揺動を検出し、検出信号を制御回路３１へ出力する。制御回路３１は、検出信号に変化があれば揺動状態にあると判断し、検出信号に変化がなければ載置状態にあると判断する。
【００２０】
　スタイラス入力部材１６は、使用者による入力操作に応じた入力信号を制御回路３１へ出力する。操作キー１５は、使用者による操作に応じた操作信号を制御回路３１へ出力する。メモリカード１８はフラッシュメモリなどの不揮発性メモリによって構成され、制御回路３１の指令によりデータの書き込み、保存および読み出しが可能である。電源１４は、ＤＣ／ＤＣ変換回路などで構成され、バッテリ１４ａの電圧を画像表示装置内の各部で必要な直流電圧に変換し、変換後の電圧を各ブロックへ供給する。
【００２１】
　カメラ２５はイメージセンサおよびイメージセンサ上に被写体像を結像する撮影レンズを含む。カメラ２５は、制御回路３１の撮影指示によって被写体像を撮像し、画像データに所定の信号処理を施した上で当該画像データを制御回路３１へ送出する。イメージセンサとしては、ＣＣＤやＣＭＯＳ撮像素子などが用いられる。カメラ２５は、フレームモード１の使用形態において、表示部１１の表示面１１ａと対向する主要被写体を撮影するように構成されている。
【００２２】
　ヒンジ１３には開閉角度検出センサ１３ａおよびねじれ角度検出センサ１３ｂが内蔵されている。開閉角度検出センサ１３ａは、回動軸Ｏを中心に回動したヒンジ１３の開閉角の大きさに応じた検出信号を制御回路３１へ出力する。ねじれ角度検出センサ１３ｂについては後述する。
【００２３】
　以上の画像表示装置において、表示部１１の液晶表示素子２０にメモリカード１８に記録されている画像データによる再生画像を表示させるには、制御回路３１がメモリカード１８から画像データを読み出し、読み出した画像データを用いて液晶表示素子２０の表示画素数に応じた表示データを生成し、生成した表示データを液晶駆動回路２０ｃへ送出するとともに、バックライト駆動回路２０ｂへ点灯指示を送る。
【００２４】
　制御回路３１で行われるモード切替え処理について、図５に示すフローチャートを参照して説明する。制御回路３１は、画像表示装置の電源スイッチ（不図示）がオンされている状態において、図５による処理を繰り返す。なお、フレームモード２は、電源スイッチ（不図示）がオフされている状態において使用される。
【００２５】
　図５のステップＳ１において、制御回路３１は、加速度センサ１９からの検出信号が所定時間（たとえば、５分間）継続して変化しないか否かを判定する。制御回路３１は、入力信号に変化がなかった場合にステップＳ１を肯定判定してステップＳ３へ進み、入力信号に変化があった場合にはステップＳ１を否定判定し、ステップＳ２へ進む。ステップＳ２へ進む場合は画像表示装置が手持ち状態もしくは使用者による操作中とみなす場合であり、ステップＳ３へ進む場合は画像表示装置が載置状態とみなす場合である。
【００２６】
　ステップＳ２において、制御回路３１は、ブックモードへの切替えを行ってステップＳ１へ戻る。ブックモードへの切替え処理では、液晶表示素子２０の表示態様として下記ａ１〜ｆ１の内容が液晶駆動回路２０ｃおよびバックライト駆動回路２０ｂに指示される。階調特性、彩度特性、および輪郭強調特性の変更に必要な画像処理は、制御回路３１によって行われる。
ａ１．縦長画面としての液晶表示素子２０に通常の横長画像を再生表示させる。
ｂ１．再生表示画像の短辺方向の余白領域２１（図１）に、当該再生画像データに付加されているExif情報をテキスト表示する。
ｃ１．表示輝度（明るさ）を標準設定値にする。
ｄ１．階調特性（コントラストおよびγ特性を含む）を標準設定値にする。
ｅ１．彩度特性を標準設定値にする。
ｆ１．輪郭強調特性を標準設定値にする。
【００２７】
　ステップＳ３において、制御回路３１は、フレームモード１への切替えを行ってステップＳ４へ進む。フレームモード１への切替え処理では、液晶表示素子２０の表示態様として以下の内容が液晶駆動回路２０ｃおよびバックライト駆動回路２０ｂに指示される。
ａ２．横長画面としての液晶表示素子２０に通常の横長画像を再生表示させる。
ｂ２．Exif情報の表示を省略する。
ｃ２．表示輝度（明るさ）を標準設定値より高める（明るくする）。
ｄ２．階調特性の設定値を、画像を派手に表示するように標準設定値から変更する。
ｅ２．彩度特性の設定値を、画像をあざやかに表示するように標準設定値から変更する。
ｆ２．輪郭強調特性を標準設定値より強くする。
【００２８】
　ステップＳ４において、制御回路３１は、カメラ２５によって得られるＡＦ（オートフォーカス）情報が所定距離より遠方に対応するか否かを判定する。制御回路３１は、カメラ２５から送信された画像データを用いて周知のＡＦ演算処理（たとえば、山登りＡＦ）を行うことにより、最至近の被写体までの距離を算出する。即ち、カメラ２５、制御回路３１は測距手段（回路）として機能する。測距手段によって算出された情報に対応する距離が、たとえば、１ｍより遠い場合にステップＳ４を肯定判定してステップＳ５へ進む。制御回路３１は、算出した距離が１ｍ以下の場合にはステップＳ４を否定判定し、ステップＳ１へ戻る。なお、上記の測距手段は、三角測量の原理を用いた測距手段、レーザ、音波等を用いた測距手段、もしくは位相差方式の測距手段であってもよい。
【００２９】
　ステップＳ５において、制御回路３１は、液晶駆動回路２０ｃへさらに強調を指示してステップＳ１へ戻る。さらなる強調の指示が既に行われている場合には、当該強調を維持してステップＳ１に戻ればよい。さらなる強調指示では、液晶表示素子２０の表示態様として以下の内容が液晶駆動回路２０ｃに指示される。
ｄ３．階調特性を通常のフレームモード１における設定値よりもさらに派手にする。
ｅ３．彩度特性を通常のフレームモード１における設定値よりもさらにあざやかにする。
ｆ３．輪郭強調特性を通常のフレームモード１における設定値よりもさらに強くする。
【００３０】
　以上説明した第一の実施形態によれば、次の作用効果が得られる。
（１）加速度センサ１９からの検出信号に基づいた判定によって画像表示装置が手持ち状態もしくは操作中であるとみなした場合、自動的にブックモードへ切替え（ステップＳ２）、画像表示装置が載置状態であるとみなした場合には自動的にフレームモード１に切替える（ステップＳ３）ようにしたので、使用者による切替え操作を不要にできる。
【００３１】
（２）ブックモードでは、縦長画面としての液晶表示素子２０に再生画像を表示するとともに、余白領域２１に当該画像データに付随するExif情報を表示するようにしたので、使用者は、撮影日や撮影条件などの確認が容易に行える上に、スタイラス入力部材１６を用いてExif情報に情報を付加することも容易である。
【００３２】
（３）ブックモードでは、液晶表示素子２０の表示特性について上記ｃ１〜ｆ１の内容にしたので、メモリカード１８に記憶されている画像データによる再生画像が、表示特性を変えないでそのまま表示される。これにより使用者は、画像データが有する細かいグラデーションや解像感を観察できる。
【００３３】
（４）フレームモード１では、画像データに付随するExif情報の表示を省略し、横長画面としての液晶表示素子２０の画面いっぱいに再生画像を大きくフルサイズ表示したので、使用者は、画像表示装置から離れた位置から表示画像を観察できる。
【００３４】
（５）フレームモード１では、液晶表示素子２０の画像表示についてのパラメータを変更し、表示特性について上記ｃ２〜ｆ２の内容にしたので、メモリカード１８に記憶されている画像データによる再生画像が、表示特性を変えて強調表示される。これにより使用者は、離れた位置からでも再生画像を鑑賞できる。なお、強調する内容は、上記ｃ２〜ｆ２のうち少なくとも１つでもよい。
【００３５】
（６）フレームモード１において、最至近の被写体までの距離を算出し、算出した距離が１ｍより遠い場合には再生画像の画像表示についてのパラメータを変更し、表示特性をさらに強調するようにしたので、使用者は、より離れた位置からでも再生画像を鑑賞できる。なお、強調する内容は、上記ｄ３〜ｆ３のうち少なくとも１つでもよい。」
　
　ここで、上記記載事項を刊行物１の関連図面を含むその他の箇所の記載と技術常識に照らすと次のことがいえる。
　
　刊行物１には、制御回路３１を備えた画像表示装置が記載され（【００１６】、【図４】）、この制御回路３１は、「制御プログラムに基づいて・・画像表示動作を・・制御する」（【００１８】）ものであり、より具体的には、制御回路３１は、「液晶表示素子２０に・・画像データによる再生画像を表示する」（【００２３】）ものである。
　したがって、画像表示装置の制御回路３１の動作を方法として捉えると、刊行物１には、「画像表示装置の制御回路３１が、制御プログラムに基づいて、液晶表示素子２０に、画像データによる再生画像を表示する方法」が記載されているといえる。
　
　「液晶表示素子２０に表示される画像は、たとえば、後述するメモリカード１８（図４）に記憶されている複数の画像ファイルに対応する画像データによる再生画像」（【００１３】）であり、「制御回路３１がメモリカード１８から画像データを読み出」す（【００２３】）から、刊行物１に記載の上記方法は、「メモリカード１８から複数の画像ファイルに対応する画像データを読み出」す動作を含んでいる。
　
　フレームモード１において、液晶表示素子２０に表示される画像は、「メモリカード１８（図４）に記憶されている複数の画像ファイルに対応する画像データによる再生画像」であり、「これらを順次スライドショー表示したもの」（【００１２】、【００１３】）である。また、「フレームモード１では、画像データに付随するExif情報の表示を省略し、横長画面としての液晶表示素子２０の画面いっぱいに再生画像を大きくフルサイズ表示」（【００３３】）する。
　したがって、刊行物１に記載の上記方法は、「フレームモード１において、前記画像データを順次スライドショー表示し、この場合、画像データに付随するＥｘｉｆ情報の表示を省略し、横長画面としての液晶表示素子２０の画面いっぱいに再生画像を大きくフルサイズ表示」する動作を含んでいる。
　
　刊行物１には、【図５】に、制御回路３１で行われるモード切替え処理についてのフローチャートが記載されており、「加速度センサ１９からの検出信号が所定時間（たとえば、５分間）継続して変化しないか否かを判定する。・・・入力信号に変化があった場合にはステップＳ１を否定判定し、ステップＳ２へ進む。ステップＳ２へ進む場合は画像表示装置が手持ち状態もしくは使用者による操作中とみなす場合であり、」（【００２５】）と記載され、さらに、「ステップＳ２において、制御回路３１は、ブックモードへの切替えを行ってステップＳ１へ戻る」（【００２６】）と記載されている。
　したがって、刊行物１に記載の上記方法は、「画像表示装置の加速度センサ１９からの検出信号が所定時間継続して変化しないか否かを検出し、変化があった場合には、画像表示装置が手持ち状態もしくは使用者による操作中とみなし、ブックモードへの切り替え処理を行」う動作を含んでいる。
　
　刊行物１には、「ブックモードでは、縦長画面としての液晶表示素子２０に再生画像を表示するとともに、余白領域２１に当該画像データに付随するExif情報を表示するようにした」（【００３１】）と記載され、さらに、「スタイラスペン１７によってスタイラス入力部材１６から書き込み入力された情報「04年 ヨーロッパ旅行」は、Exif情報とともに画像データファイル内に記録可能に構成されている。したがって、画像データファイル内に付加記録された書き込み入力情報は、次回の再生表示時に他のExif情報とともに自動的に領域２１内に表示させることができる。」（【００１１】）と記載されている。
　したがって、刊行物１に記載の上記方法は、「ブックモードでは、縦長画面としての液晶表示素子２０に再生画像を表示するとともに、余白領域２１に当該画像データに付随する、Exif情報、及び、スタイラスペンによって書き込み入力された情報(例えば「０４年　ヨーロッパ旅行」)を表示する」動作を含んでいる。
　
　以上をまとめると、刊行物１には、次の発明（以下、「刊行物１発明」という）が記載されていると認められる。
　
［刊行物１発明］
　画像表示装置の制御回路３１が、制御プログラムに基づいて、液晶表示素子２０に、画像データによる再生画像を表示する方法であって、
　メモリカード１８から複数の画像ファイルに対応する画像データを読み出し、
　フレームモード１において、前記画像データを順次スライドショー表示し、この場合、画像データに付随するExif情報の表示を省略し、横長画面としての液晶表示素子２０の画面いっぱいに再生画像を大きくフルサイズ表示し、
　画像表示装置の加速度センサ１９からの検出信号が所定時間継続して変化しないか否かを検出し、変化があった場合には、画像表示装置が手持ち状態もしくは使用者による操作中とみなし、ブックモードへの切り替え処理を行い、
　ブックモードでは、縦長画面としての液晶表示素子２０に再生画像を表示するとともに、余白領域２１に当該画像データに付随するExif情報、及び、スタイラスペンによって書き込み入力された情報(例えば「０４年　ヨーロッパ旅行」)を表示する、方法。
　
ウ．本願補正発明と刊行物１発明との対比
（ア）本願補正発明の「コンピュータを用いてデジタルコンテンツを提示する方法」について
　
　刊行物１発明は、「画像表示装置の制御回路３１が、制御プログラムに基づいて、液晶表示素子２０に、画像データによる再生画像を表示する方法」であり、この方法において、制御プログラムに基づいて動作する制御回路３１は、「コンピュータ」といえ、画像データによる再生画像の表示は、「デジタルコンテンツ」の「提示」といえる。
　したがって、本願補正発明と刊行物１発明とは、「コンピュータを用いてデジタルコンテンツを提示する方法」である点で一致する。
　
（イ）本願補正発明の「前記コンピュータにより、一連のコンテンツアイテムを表すデジタルデータを取得するステップ」について
　
　刊行物１発明は、「メモリカード１８から複数の画像ファイルに対応する画像データを読み出」す動作を含んでいる。この読み出す動作は、制御回路３１（「コンピュータ」）が行う（「データを取得する」）ものであり、この動作により読み出される、「複数の画像ファイルに対応する画像データ」は、後に、「順次スライドショー表示」されるものであるから、「一連のコンテンツアイテムを表すデジタルデータ」といえるものである。
　したがって、本願補正発明と刊行物１発明とは、「前記コンピュータにより、一連のコンテンツアイテムを表すデジタルデータを取得するステップ」を含む点で一致する。
　
（ウ）本願補正発明の「前記コンピュータにより、第１の提示モードにおいて前記一連のコンテンツアイテムを提示するステップであって、前記第１の提示モードでは、前記コンピュータが、一のコンテンツアイテムの概観を表すデータを第１の選択として選択するステップと、選択されたデータを、知覚可能な形式でデータをレンダリングするシステムに供給するステップとを、各コンテンツアイテムに対して連続して自動的に実行する、ステップ」について
　
　刊行物１発明の「フレームモード１」は、画像データをスライドショー表示するモードであり、「ブックモード」との対比において、「第１の提示モード」といい得るものであり、刊行物１発明は、「前記コンピュータにより、第１の提示モードにおいて前記一連のコンテンツアイテムを提示するステップ」を含むといえる。
　
　このフレームモード１において、刊行物１発明は、「画像データに付随するExif情報の表示を省略し、横長画面としての液晶表示素子２０の画面いっぱいに再生画像を大きくフルサイズ表示」する。
　ここで、「画像データに付随するExif情報の表示を省略」することは、Exif情報が付随していた画像データから、画像データを選択することであるといえる。また、本願補正発明でいう「コンテンツアイテムの概観を表すデータ」とは、本願明細書の一実施例にあるように、画像と添付テキストを含むニュースアイテムから画像データを抽出して表示する画像データを含むものであり（【００４７】−【００４９】、図３Ａを参照されたい）、刊行物１発明の上記選択された画像データも、Exif情報が付随していた画像データから画像データを選択して表示するものであるから、刊行物１発明の上記選択された画像データは、「コンテンツアイテムの概観を表すデータ」といい得る。
　また、フレームモード１の処理は、制御回路３１（「コンピュータ」）により行われる処理である。
　したがって、刊行物１発明における上記の画像データを選択することは、本願補正発明の「前記コンピュータが、一のコンテンツアイテムの概観を表すデータを第１の選択として選択するステップ」に相当する。
　また、「横長画面としての液晶表示素子２０の画面いっぱいに再生画像を大きくフルサイズ表示」することは、本願補正発明の、「選択されたデータを、知覚可能な形式でデータをレンダリングするシステムに供給するステップ」に相当する。
　刊行物１発明では、このように選択され、供給された複数の画像データが、順次スライドショー表示されるのであるから、結局、刊行物１発明は、「前記第１の提示モードでは、前記コンピュータが、一のコンテンツアイテムの概観を表すデータを第１の選択として選択するステップと、選択されたデータを、知覚可能な形式でデータをレンダリングするシステムに供給するステップとを、各コンテンツアイテムに対して連続して自動的に実行する」ものであるといえる。
　
　したがって、本願補正発明と刊行物１発明とは、「前記コンピュータにより、第１の提示モードにおいて前記一連のコンテンツアイテムを提示するステップであって、前記第１の提示モードでは、前記コンピュータが、一のコンテンツアイテムの概観を表すデータを第１の選択として選択するステップと、選択されたデータを、知覚可能な形式でデータをレンダリングするシステムに供給するステップとを、各コンテンツアイテムに対して連続して自動的に実行する、ステップ」を含む点で一致する。
　
（エ）本願補正発明の「前記コンピュータにより、前記レンダリングするシステムにおいてユーザによるデータ入力動作以外の動作を検出するステップ」について
　
　刊行物１発明では、「画像表示装置の加速度センサ１９からの検出信号が所定時間継続して変化しないか否かを検出し、変化があった場合には、画像表示装置が手持ち状態もしくは使用者による操作中とみな」す。
　この画像表示装置の加速度センサ１９からの検出信号の変化の検出は、「ユーザによるデータ入力動作以外の動作」の検出といえるから、刊行物１発明は、「前記コンピュータにより、前記レンダリングするシステムにおいてユーザによるデータ入力動作以外の動作を検出するステップ」を含むといえ、この点で本願補正発明と一致する。
　
（オ）本願補正発明の「前記コンピュータにより、前記動作の検出に応答して、前記第１の提示モードから第２の提示モードへの遷移をもたらすステップであって、前記第２の提示モードでは、前記レンダリングするシステムが、前記動作が検出されたときに前記第１の提示モードにおいて提示されているコンテンツアイテムの掘り下げた体験を表すデータを第２の選択としてレンダリングする、ステップ」について
　
　刊行物１発明は、フレームモード１のときに、上記した加速度センサ１９からの検出信号の変化を検出すると、ブックモードへの切り替え処理を行う。ブックモードでは、「縦長画面としての液晶表示素子２０に再生画像を表示するとともに、余白領域２１に当該画像データに付随する、Exif情報、及び、スタイラスペンによって書き込み入力された情報(例えば「０４年　ヨーロッパ旅行」)を表示する」のであるから、ブックモードは、上記フレームモード１の「第１の提示モード」に対して、「第２の提示モード」といえるものである。
　また、フレームモード１からブックモードへの切替え処理は、制御回路３１（「コンピュータ」）により行われる処理であり、切り替え処理によりフレームモード１からブックモードへ遷移するといえる。
　したがって、本願補正発明と刊行物１発明とは、「前記コンピュータにより、前記動作の検出に応答して、前記第１の提示モードから第２の提示モードへの遷移をもたらすステップ」を含む点で一致する。
　
　本願補正発明でいう「コンテンツアイテムの掘り下げた体験を表すデータ」とは、本願明細書の一実施例にあるように、ニュースアイテムの画像２０と添付テキスト２１を含むものであり（【００４７】、【００４８】、【００５２】、図３Ｂを参照されたい）、刊行物１発明のブックモードで、画像データとともに、余白領域２１に表示される、「Exif情報、及び、スタイラスペンによって書き込み入力された情報(例えば「０４年　ヨーロッパ旅行」)」は、画像データに付随する、該画像データに関連する詳細情報であるから、刊行物１発明の画像データ及びこれらの詳細情報は、「コンテンツアイテムの掘り下げた体験を表すデータ」といい得る。
　刊行物１発明の画像データ及び上記詳細情報は、液晶表示素子２０および余白領域２１に表示するために選択されたものであり、この選択は、上記第１の提示モードでの「第１の選択」に対して、第２の提示モードでの「第２の選択」といえるから、本願補正発明と刊行物１発明とは、「前記第２の提示モードでは、前記レンダリングするシステムが、コンテンツアイテムの掘り下げた体験を表すデータを第２の選択としてレンダリングする」といえる点では共通しているといえる。
　
　よって、本願補正発明と刊行物１発明とは、「前記コンピュータにより、前記動作の検出に応答して、前記第１の提示モードから第２の提示モードへの遷移をもたらすステップであって、前記第２の提示モードでは、前記レンダリングするシステムが、コンテンツアイテムの掘り下げた体験を表すデータを第２の選択としてレンダリングする、ステップ」を含むといえる点では共通するものである。
　
　もっとも、本願補正発明は、「前記コンピュータにより、前記動作の検出に応答して、前記第１の提示モードから第２の提示モードへの遷移をもたらすステップであって、前記第２の提示モードでは、前記レンダリングするシステムが、前記動作が検出されたときに前記第１の提示モードにおいて提示されているコンテンツアイテムの掘り下げた体験を表すデータを第２の選択としてレンダリングする、ステップ」を含むのに対し、刊行物１発明は、「前記コンピュータにより、前記動作の検出に応答して、前記第１の提示モードから第２の提示モードへの遷移をもたらすステップであって、前記第２の提示モードでは、前記レンダリングするシステムが、コンテンツアイテムの掘り下げた体験を表すデータを第２の選択としてレンダリングする、ステップ」を含むとはいえるものの、「コンテンツアイテムの掘り下げた体験を表すデータを第２の選択としてレンダリングする」レンダリングが、「前記動作が検出されたときに前記第１の提示モードにおいて提示されているコンテンツアイテムの掘り下げた体験を表すデータを第２の選択としてレンダリングする」かどうかは特定されていない点で両者は相違する。
　
（カ）一致点、相違点
　以上をまとめると、本願補正発明と刊行物１発明の一致点及び相違点は次のとおりである。
　
［一致点］ 
　コンピュータを用いてデジタルコンテンツを提示する方法であって、
　前記コンピュータにより、一連のコンテンツアイテムを表すデジタルデータを取得するステップと、
　前記コンピュータにより、第１の提示モードにおいて前記一連のコンテンツアイテムを提示するステップであって、前記第１の提示モードでは、前記コンピュータが、一のコンテンツアイテムの概観を表すデータを第１の選択として選択するステップと、選択されたデータを、知覚可能な形式でデータをレンダリングするシステムに供給するステップとを、各コンテンツアイテムに対して連続して自動的に実行する、ステップと、
　前記コンピュータにより、前記レンダリングするシステムにおいてユーザによるデータ入力動作以外の動作を検出するステップと、
　前記コンピュータにより、前記動作の検出に応答して、前記第１の提示モードから第２の提示モードへの遷移をもたらすステップであって、前記第２の提示モードでは、前記レンダリングするシステムが、コンテンツアイテムの掘り下げた体験を表すデータを第２の選択としてレンダリングする、ステップとを含む、方法。
　
［相違点］ 
　本願補正発明は、「前記コンピュータにより、前記動作の検出に応答して、前記第１の提示モードから第２の提示モードへの遷移をもたらすステップであって、前記第２の提示モードでは、前記レンダリングするシステムが、前記動作が検出されたときに前記第１の提示モードにおいて提示されているコンテンツアイテムの掘り下げた体験を表すデータを第２の選択としてレンダリングする、ステップ」を含むのに対し、
　刊行物１発明は、「前記コンピュータにより、前記動作の検出に応答して、前記第１の提示モードから第２の提示モードへの遷移をもたらすステップであって、前記第２の提示モードでは、前記レンダリングするシステムが、コンテンツアイテムの掘り下げた体験を表すデータを第２の選択としてレンダリングする、ステップ」を含むとはいえるものの、「コンテンツアイテムの掘り下げた体験を表すデータを第２の選択としてレンダリングする」レンダリングが、「前記動作が検出されたときに前記第１の提示モードにおいて提示されているコンテンツアイテムの掘り下げた体験を表すデータを第２の選択としてレンダリングする」かどうかは特定されていない点。
　
エ．判断
　刊行物１発明では、フレームモード１からブックモードへ切替え処理が行われるのは、【図５】のフローチャートで説明すると、ステップＳ３−Ｓ４（−Ｓ５）−Ｓ１−Ｓ２と進んだ場合である。すなわち、モードがフレームモード１であるときに、加速度センサ１９の検出信号に変化があると、ブックモードへの切替えが行われる。
　加速度センサ１９の検出信号に変化があるのは、例えば、画像表示装置が載置状態から使用者により持ち上げられて手持ち状態となる場合であるから、そのタイミングは、使用者が任意に決定することができるものであると理解できる。
　すなわち、フレームモード１でスライドショー表示が行われているときに、それをブックモードへ切替えるタイミングは使用者が任意に決定することができるものである。
　また、ブックモードとは、使用者が、所望する画像に対して、撮影日や撮影条件などの確認をしたりスタイラスを用いて情報を付加するモード（【００３１】を参照されたい）であるから、スライドショー表示中に使用者の所望する画像が表示されたとき、その画像に対して撮影日や撮影条件などの確認をしたりスタイラスを用いて情報を付加しようとする状況は普通に想定し得ることであり、そのために、画像表示装置を手持ち状態としてブックモードに切替えたときに表示する画像を、切替える直前の加速度センサ１９の検出信号に変化があったときにフレームモード１で表示されていた画像と同じ画像とすることは、当業者が容易に想到し得ることである。
　そして、そのようにすることは、刊行物１発明において、「前記コンピュータにより、前記動作の検出に応答して、前記第１の提示モードから第２の提示モードへの遷移をもたらすステップであって、前記第２の提示モードでは、前記レンダリングするシステムが、前記動作が検出されたときに前記第１の提示モードにおいて提示されているコンテンツアイテムの掘り下げた体験を表すデータを第２の選択としてレンダリングする、ステップ」を含むようにすることを意味している。
　
　また、本願補正発明の構成によってもたらされる効果は、刊行物１発明から当業者が容易に想到し得た構成のものが奏するであろうと当業者が予測し得る範囲を超えるものではなく、本願発明の進歩性を肯定する根拠となり得るものではない。
　
　よって、本願補正発明は、刊行物１に記載された発明に基づいて当業者が容易に発明をすることができたものであり、特許法第２９条第２項の規定により特許出願の際独立して特許を受けることができないものである。
　
（３）補正却下のまとめ
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
１．本願発明
　上述のとおり、平成２６年７月２９日付けの手続補正は却下されたので、本願の請求項に係る発明は、平成２５年２月５日付けの手続補正により補正された特許請求の範囲の請求項１−１６の記載により特定されるものであるところ、その請求項１に係る発明（以下、「本願発明」という）は、上記「第２　１．[補正前の請求項１]」の記載により特定される次のとおりのものである。
　
[本願発明]
　デジタルコンテンツを提示する方法であって、
　一連のコンテンツアイテムを表すデジタルデータを取得するステップと、
　第１の提示モードにおいて前記一連のコンテンツアイテムを提示するステップであって、前記第１の提示モードでは、コンテンツアイテムを表すデータの第１の選択を行うステップ、及び、選択されたデータを、知覚可能な形式でデータをレンダリングするシステムに供給するステップが、各コンテンツアイテムに対して連続して自動的に実行される、ステップと、
　前記レンダリングするシステムにおいてユーザによる動作を検出するステップと、
　前記動作の検出に応答して、前記第１の提示モードから第２の提示モードへの遷移をもたらすステップであって、前記第２の提示モードでは、前記レンダリングするシステムが、前記動作が検出されたときに前記第１の提示モードにおいて提示されているコンテンツアイテムを表すデータのみの、前記第１の選択とは異なる第２の選択をレンダリングする、ステップとを含む、方法。
　
２．刊行物に記載された発明
　刊行物１の記載事項及び刊行物１発明は、上記「第２　２．（２）イ　刊行物に記載された発明」に記載したとおりである。
　
３．本願発明と刊行物１発明との対比
　本願発明は、上述した本願補正発明の補正により限定した構成を省いたものであるから、本願発明と刊行物１発明との対比は、上記の省いた構成を除いて上記「第２　２．（２）ウ．本願補正発明と刊行物１発明との対比」と同様にでき、本願発明と刊行物１発明との一致点、相違点は次のとおりである。
　
［一致点］ 
　デジタルコンテンツを提示する方法であって、
　一連のコンテンツアイテムを表すデジタルデータを取得するステップと、
　第１の提示モードにおいて前記一連のコンテンツアイテムを提示するステップであって、前記第１の提示モードでは、コンテンツアイテムを表すデータの第１の選択を行うステップ、及び、選択されたデータを、知覚可能な形式でデータをレンダリングするシステムに供給するステップが、各コンテンツアイテムに対して連続して自動的に実行される、ステップと、
　前記レンダリングするシステムにおいてユーザによる動作を検出するステップと、
　前記動作の検出に応答して、前記第１の提示モードから第２の提示モードへの遷移をもたらすステップであって、前記第２の提示モードでは、前記レンダリングするシステムが、コンテンツアイテムを表すデータの、前記第１の選択とは異なる第２の選択をレンダリングする、ステップとを含む、方法。
　
［相違点］ 
　本願発明は、「前記動作の検出に応答して、前記第１の提示モードから第２の提示モードへの遷移をもたらすステップであって、前記第２の提示モードでは、前記レンダリングするシステムが、前記動作が検出されたときに前記第１の提示モードにおいて提示されているコンテンツアイテムを表すデータのみの、前記第１の選択とは異なる第２の選択をレンダリングする、ステップ」を含むのに対し、
　刊行物１発明は、「前記動作の検出に応答して、前記第１の提示モードから第２の提示モードへの遷移をもたらすステップであって、前記第２の提示モードでは、前記レンダリングするシステムが、コンテンツアイテムを表すデータの、前記第１の選択とは異なる第２の選択をレンダリングする、ステップ」を含むとはいえるものの、「コンテンツアイテムを表すデータの、前記第１の選択とは異なる第２の選択をレンダリングする」レンダリングが、「前記動作が検出されたときに前記第１の提示モードにおいて提示されているコンテンツアイテム表すデータのみの、前記第１の選択とは異なる第２の選択をレンダリングする」かどうかは特定されていない点。
　
４．判断
　本願発明と刊行物１発明との相違点は、上述の本願補正発明と刊行物１発明との相違点における本願補正発明の補正により限定した部分を除いて同様のものであり、本願発明と刊行物１発明との相違点に対する判断も、本願補正発明と刊行物１発明との相違点に対する判断（上記「第２　２．（２）エ．判断」）と同様にできる。
　したがって、本願発明は、刊行物１に記載された発明に基づいて当業者が容易に発明をすることができたものである。
　
第４　むすび
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。